(57)【要約】【課題】電源ケーブルと灯具との接続部の止水機能を高めた水中集魚灯を提供する。【解決手段】水中集魚灯の灯具のハウジングの壁部５０３ａに止水機能を有するレセプタクル１１を取り付け、電源ケーブル３の先端に止水機能を有するプラグコネクタ１２を取り付けて、プラグコネクタ１２をレセプタクル１１に接続することにより、電源ケーブル３を灯具に接続する。プラグコネクタ１２とレセプタクル１１とをロックナット１３により結合して両者の接続を確保する。レセプタクル１１のシェル１５を耐食性金属により形成してレセプタクルの機械的強度を高める。またプラグコネクタ１２のシェル３５をプラグ側コンタクト導体及び電源ケーブルに一体に成形された絶縁ゴムにより形成して、プラグコネクタの止水機能を高めるとともに、プラグコネクタのシェル３５の外周に耐食性金属からなる保護スリーブ３７を嵌合させて、プラグコネクタの止水部を保護する。【選択図】    図３
2010115180.tif 000002
【特許請求の範囲】
【請求項１】
発光体を保持したハウジングを有する灯具と、前記灯具のハウジング内に設けられた密閉構造の配線室内で前記発光体への給電部に先端部が電気的に接続された電源ケーブルとを備えて、前記灯具が水中に投入されて使用される水中集魚灯において、
耐食性金属からなっていて先端部外周に雄ネジ部が形成されるとともに該雄ネジ部の内側にプラグ挿入穴が形成され、後端部が前記灯具のハウジングの前記配線室に臨む部分を貫通して前記ハウジングに液密に接続された金属製のレセプタクルシェルと、先端部にレセプタクルコンタクトを有するとともに前記発光体への給電部に電気的に接続された端子部を後端部に有して前記レセプタクルシェル内に収容されたレセプタクル側コンタクト導体と、前記レセプタクルシェルの内側を通して水が流通するのを阻止するレセプタクル側止水部とを備えたレセプタクルと、
前記レセプタクルコンタクトに接続されるプラグコンタクトを先端に有し、後端部が前記電源ケーブルの先端で該電源ケーブルの芯線に接続されたプラグ側コンタクト導体と、前記プラグ側コンタクト導体と前記電源ケーブルの先端寄りの部分とを被覆した状態で該プラグ側コンタクト導体及び電源ケーブルに一体に成形されて先端部が前記レセプタクルシェルのプラグ挿入穴内に圧入し得るように形成されるとともに、前記先端部が前記プラグ挿入穴内に圧入された際に前記レセプタクルシェルの先端面に当接されるつば部が外周に形成された絶縁ゴム製のプラグシェルと、前記プラグシェル内を通して水が流通するのを阻止するプラグ側止水部と、先端部にフランジ部を有して該フランジ部を前記プラグシェルの外周のつば部に当接させた状態でプラグシェルの外周に嵌合された耐食性金属からなる保護スリーブとを備えて、前記プラグシェルの先端部が前記プラグ挿入穴内に圧入された状態で前記プラグコンタクトが前記レセプタクルコンタクトに接続されたプラグコネクタと、
前記保護スリーブの外周に嵌合されるとともに前記レセプタクルシェルの先端部外周の雄ネジ部に螺合されて前記保護スリーブのフランジ部を介して前記プラグシェルのつば部を前記レセプタクルシェルの先端面側に締めつける耐食性金属からなるロックナットと、
を具備してなる水中集魚灯。
【請求項２】
発光体を保持したハウジングを有する灯具と、前記灯具のハウジング内に設けられた密閉構造の配線室内で先端部が前記発光体への給電部に電気的に接続された電源ケーブルとを備えて、前記灯具が水中に投入されて使用される水中集魚灯において、
前記電源ケーブルは、前記灯具のハウジングに取り付けられたレセプタクルと前記電源ケーブルの先端に取り付けられたプラグコネクタとを介して前記灯具に接続され、
前記レセプタクルは、先端寄りの部分及び後端寄りの部分の外周がそれぞれ中央寄りの部分よりも小径の第１及び第２の雄ネジ部となっていて第１の雄ネジ部の内側にプラグ挿入穴が形成された筒状のレセプタクルシェルと、先端部にレセプタクルコンタクトを有するとともに前記発光体への給電部に電気的に接続される端子部を後端部に有して互いに平行に配置された１対のレセプタクル側コンタクト導体と前記一対のレセプタクル側コンタクト導体の中間部を被覆した状態で成形された中実の絶縁部材と該絶縁部材の外周に嵌合されて該絶縁部材に接着された絶縁性のゴムスリーブとを備えて前記絶縁部材が前記ゴムスリーブを介して前記レセプタクルシェルの後端部側の内周に圧入されて前記ゴムスリーブが前記レセプタクルシェルの内周に接着されることにより前記レセプタクルシェル内に保持されたコンタクト組立体と、前記第２の雄ネジ部の外周に嵌合されて該第２の雄ネジ部と前記レセプタクルシェルの中央寄りの部分との間に形成された段部に当接されたパッキンと、前記第１の雄ネジ部に螺合されるシェル固定用ナットとを備え、
前記レセプタクルは、前記レセプタクルシェルの第２の雄ネジ部が前記灯具のハウジングの配線室に臨む部分を貫通した状態で配置されて、前記第２の雄ネジ部に螺合された前記シェル固定用ナットにより前記灯具のハウジングに締結され、
前記プラグコネクタは、前記１対のレセプタクルコンタクトにそれぞれ接続される１対のプラグコンタクトを先端に有し、後端部が前記電源ケーブルの先端で前記電源ケーブルの１対の芯線にそれぞれ接続された１対のプラグ側コンタクト導体と、前記１対のプラグ側コンタクト導体と前記電源ケーブルの先端寄りの部分とを被覆した状態で前記１対のプラグ側コンタクト導体及び前記電源ケーブルに一体に成形されて先端部が前記レセプタクルシェルのプラグ挿入穴内に圧入し得るように形成されるとともに、先端部が前記プラグ挿入穴内に圧入された際に前記レセプタクルシェルの先端面に当接されるつば部が外周に形成された絶縁ゴム製のプラグシェルと、前記プラグ側コンタクト導体の少なくとも一部の外周と前記電源ケーブルの前記プラグシェル内に位置する部分の外周とをそれぞれ全周に亘って前記プラグシェルに接着する接着剤層と、先端部にフランジ部を有して該フランジ部を前記プラグシェルの外周のつば部に当接させた状態で前記プラグシェルの外周に嵌合された保護スリーブとを備えて、前記プラグシェルの先端部を前記プラグ挿入穴内に圧入した際に前記１対のプラグコンタクトがそれぞれ前記１対のレセプタクルコンタクトに接続されるように構成され、
前記保護スリーブの外周に嵌合されるとともに前記レセプタクルシェルの第１の雄ネジ部に螺合されて前記保護スリーブのフランジ部を介して前記プラグシェルのつば部を前記レセプタクルシェルの先端面側に締めつけるロックナットが設けられて、前記ロックナットの締め付けにより前記保護スリーブのフランジ部と前記レセプタクルシェルの先端面との間に前記プラグシェルのつば部が圧縮された状態で、前記プラグシェルと前記レセプタクルシェルとが結合され、
前記レセプタクルシェルと、シェル固定用ナットと、保護スリーブと、ロックナットとは耐食性金属により形成され、
前記絶縁部材と該絶縁部材及び前記レセプタクルシェルに接着されたゴムスリーブとにより前記レセプタクルシェルの内側を通して水が流通するのを阻止するレセプタクル側止水部が構成され、
前記接着剤層により、前記プラグシェルの内側を通して水が流通するのを阻止するプラグ側止水部が構成されていること、
を特徴とする水中集魚灯。
【請求項３】
前記レセプタクルコンタクトは雄形コンタクトからなり、前記プラグコンタクトは雌形コンタクトからなっている請求項１または２に記載の水中集魚灯。
【請求項４】
発光体を保持したハウジングを有する灯具と前記灯具のハウジング内に設けられた密閉構造の配線室内で前記発光体への給電部に先端部が電気的に接続された電源ケーブルとを備えて前記灯具が水中に投入されて使用される水中集魚灯に前記電源ケーブルを接続する水中集魚灯用電源ケーブル接続具であって、
前記灯具のハウジングに固定されるレセプタクルと、前記電源ケーブルの先端に取り付けられて前記レセプタクルに接続されるプラグコネクタとを備え、
前記レセプタクルは、耐食性金属からなっていて先端部外周に雄ネジ部が形成されるとともに該雄ネジ部の内側にプラグ挿入穴が形成され、後端部が前記灯具のハウジングの前記配線室に臨む部分を貫通して前記ハウジングに液密に接続されるレセプタクルシェルと、先端部にレセプタクルコンタクトを有するとともに前記発光体への給電部に電気的に接続される端子部を後端部に有して前記レセプタクルシェル内に収容されたレセプタクル側コンタクト導体と、前記レセプタクルシェルの内側を通して水が流通するのを阻止するレセプタクル側止水部とを備え、
前記プラグコネクタは、前記電源ケーブルの芯線に接続されるプラグコンタクトを先端に有し、後端部が前記電源ケーブルの先端で該電源ケーブルの芯線に接続されるプラグ側コンタクト導体と、前記プラグ側コンタクト導体と前記電源ケーブルの先端寄りの部分とを被覆した状態で該プラグ側コンタクト導体及び電源ケーブルに一体に成形されて先端部が前記レセプタクルシェル内に圧入し得るように形成されるとともに、先端部が前記レセプタクルシェルのプラグ挿入穴内に圧入された際に前記レセプタクルシェルの先端面に当接されるつば部が外周に形成された絶縁ゴム製のプラグシェルと、前記プラグシェル内を通して水が流通するのを阻止するプラグ側止水部と、先端部にフランジ部を有して該フランジ部を前記プラグシェルの外周のつば部に当接させた状態で前記プラグシェルの外周に嵌合された耐食性金属製の保護スリーブとを備えて、前記プラグシェルの先端部が前記レセプタクルシェル内に圧入された状態で前記プラグコンタクトが前記レセプタクルコンタクトに接続されるように構成され、
前記保護スリーブの外周に嵌合されるとともに前記レセプタクルシェルの先端部外周の雄ネジ部に螺合されて前記保護スリーブのフランジ部を介して前記プラグシェルのつば部を前記レセプタクルシェルの先端面側に締めつける耐食性金属からなるロックナットが設けられて、前記ロックナットの締め付けにより前記保護スリーブのフランジ部と前記レセプタクルシェルの先端面との間に前記プラグシェルのつば部が圧縮された状態で、前記プラグシェルと前記レセプタクルシェルとが結合されるように構成されていること、
を特徴とする水中集魚灯用電源ケーブル接続具。
【請求項５】
発光体を保持したハウジングを有する灯具と前記灯具のハウジング内に設けられた密閉構造の配線室内で前記発光体への給電部に先端部が電気的に接続された電源ケーブルとを備えて前記灯具が水中に投入されて使用される水中集魚灯に前記電源ケーブルを接続する水中集魚灯用電源ケーブル接続具であって、
前記灯具のハウジングに固定されるレセプタクルと、前記電源ケーブルの先端に取り付けられて前記レセプタクルに接続されるプラグコネクタとを備え、
前記レセプタクルは、先端寄りの部分及び後端寄りの部分の外周がそれぞれ中央寄りの部分よりも小径の第１及び第２の雄ネジ部となっていて第１の雄ネジ部の内側にプラグ挿入穴が形成された筒状のレセプタクルシェルと、先端部にレセプタクルコンタクトを有するとともに前記発光体への給電部に電気的に接続される端子部を後端部に有して互いに平行に配置された１対のレセプタクル側コンタクト導体と前記一対のレセプタクル側コンタクト導体の中間部を被覆した状態で成形された中実の絶縁部材と該絶縁部材の外周に嵌合されて該絶縁部材に接着された絶縁性のゴムスリーブとを備えて前記絶縁部材が前記ゴムスリーブを介して前記レセプタクルシェルの後端部側の内周に圧入されて前記ゴムスリーブが前記レセプタクルシェルの内周に接着されたコンタクト組立体と、前記第２の雄ネジ部の外周に嵌合されて該第２の雄ネジ部と前記レセプタクルシェルの中央寄りの部分との間に形成された段部に当接されるパッキンと、前記第１の雄ネジ部に螺合されるシェル固定用ナットとを備えて、前記絶縁部材とゴムスリーブとにより前記レセプタクルシェルの内側を通して水が流通するのを阻止するレセプタクル側止水部が構成され、
前記プラグコネクタは、前記１対のレセプタクルコンタクトにそれぞれ接続される１対のプラグコンタクトを先端に有し、後端部が前記電源ケーブルの先端で前記電源ケーブルの１対の芯線にそれぞれ接続された１対のプラグ側コンタクト導体と、前記１対のプラグ側コンタクト導体と前記電源ケーブルの先端寄りの部分とを被覆した状態で前記１対のプラグ側コンタクト導体及び前記電源ケーブルに一体に成形されて先端部が前記レセプタクルシェルの先端部側の内周に圧入し得るように形成されるとともに、先端部が前記レセプタクルシェルのプラグ挿入穴内に圧入された際に前記レセプタクルシェルの先端面に当接されるつば部が外周に形成された絶縁ゴム製のプラグシェルと、前記プラグ側コンタクト導体の少なくとも一部の外周と前記電源ケーブルの前記プラグシェル内に位置する部分の外周とをそれぞれ全周に亘って前記プラグシェルに接着する接着剤層と、先端部にフランジ部を有して該フランジ部を前記プラグシェルの外周のつば部に当接させた状態で前記プラグシェルの外周に嵌合された保護スリーブとを備えて、前記プラグシェルの先端部を前記プラグ挿入穴内に圧入した際に前記１対のプラグコンタクトがそれぞれ前記１対のレセプタクルコンタクトに接続されるように構成され、
前記保護スリーブの外周に嵌合されるとともに前記レセプタクルシェルの第１の雄ネジ部に螺合されて前記保護スリーブのフランジ部を介して前記プラグシェルのつば部を前記レセプタクルシェルの先端面側に締めつけるロックナットが設けられて、前記ロックナットの締め付けにより前記保護スリーブのフランジ部と前記レセプタクルシェルの先端面との間に前記プラグシェルのつば部が圧縮された状態で、前記プラグシェルと前記レセプタクルシェルとが結合されるように構成され、
前記レセプタクルシェルと、シェル固定用ナットと、保護スリーブと、ロックナットとは耐食性金属により形成され、
前記絶縁部材と該絶縁部材及び前記レセプタクルシェルに接着されたゴムスリーブとにより前記レセプタクルシェルの内側を通して水が流通するのを阻止するレセプタクル側止水部が構成され、
前記接着剤層により、前記プラグシェルの内側を通して水が流通するのを阻止するプラグ側止水部が構成されていること、
を特徴とする水中集魚灯用電源ケーブル接続具。
【請求項６】
前記レセプタクルコンタクトは雄形コンタクトからなり、前記プラグコンタクトは雌形コンタクトからなっている請求項４または５に記載の水中集魚灯用電源ケーブル接続具。
【発明の詳細な説明】
【技術分野】
【０００１】
本発明は、水中集魚灯及び該水中集魚灯を電源ケーブルを接続するために用いる水中集魚灯用電源ケーブル接続具に関するものである。
【背景技術】
【０００２】
夜間の漁においては、魚を集めるために集魚灯が用いられている。集魚灯としては、漁船の船上に固定されて使用される船上集魚灯と、水中に投入されて使用される水中集魚灯とがある。水中集魚灯は、特許文献１に示されているように、電源ケーブルと、電源ケーブルの先端に接続された灯具とからなっていて、灯具を漁船から水中に投入して発光体を発光させることにより集魚を図るものである。
【０００３】
従来の水中集魚灯においては、特許文献１にも示されているように、灯具のハウジングの上端に電源ケーブルを液密に貫通させるケーブル導入部が設けられていて、電源ケーブルの先端が直接ケーブル導入部を貫通してハウジング内の液密保持構造の配線室内に導入され、該配線室内で、電源ケーブルの芯線が、発光体への給電部に接続されていた。
【特許文献１】特開昭６３-３０９１２８号公報
【発明の開示】
【発明が解決しようとする課題】
【０００４】
従来の集魚灯においては、電源ケーブルの先端が、灯具のハウジングの上部に設けられたケーブル導入部を貫通して直接ハウジング内に導入されていたため、電源ケーブルの導入部（電源ケーブルと灯具との接続部）の止水機能を維持することが容易ではなく、海中における灯具の揺動により電源ケーブルの導入部に繰り返し外力が加わったり、集魚灯が漁網に接触して電源ケーブルと灯具との接続部に大きな外力が作用したりしたときに、ケーブル導入部の止水機能が損なわれて、ケーブル導入部から灯具のハウジング内に水が浸入することがあった。万一電源ケーブルの導入部から灯具のハウジング内に水が浸入した場合には、灯具が破損するため、灯具全体を交換することが必要になり、不経済である。
【０００５】
最近、寿命が長い発光ダイオードを発光体として用いた水中集魚灯が用いられるようになった。発光ダイオードを用いた集魚灯の灯具は高価であるため、早期に灯具全体を交換しなければならない事態が生じることは極力避ける必要がある。また長寿命であるという発光ダイオードの特徴を活かすためにも、灯具の寿命をできるだけ長くすることが望まれる。
【０００６】
本発明の目的は、電源ケーブルと灯具との接続部の止水性能及び堅牢性を高めて、灯具のハウジング内に水が浸入するのを防ぎ、灯具の寿命を長くすることができるようにした水中集魚灯及び該水中集魚灯を灯具に接続するために用いる水中集魚灯用電源ケーブル接続具を提供することにある。
【課題を解決するための手段】
【０００７】
本発明は、発光体を保持したハウジング５０１を有する灯具５と、灯具のハウジング内に設けられた密閉構造の配線室内で発光体への給電部５１１ａ，５１２ａに先端部が電気的に接続された電源ケーブル３とを備えて、灯具が水中に投入されて使用される水中集魚灯を対象とする。
【０００８】
本発明においては、電源ケーブル３を灯具に接続するために、灯具のハウジングに取り付けられたレセプタクル１１と、電源ケーブルの先端に取り付けられたプラグコネクタ１２とを備えた電源ケーブル接続具１０を用いる。
【０００９】
本発明に係わる電源ケーブル接続具のレセプタクル１１は、耐食性金属からなっていて先端部外周に雄ネジ部１５ｂが形成されるとともに該雄ネジ部の内側にプラグ挿入穴１５ｇが形成され、後端部が灯具のハウジング５０１の配線室に臨む部分を貫通してハウジングに液密に接続される金属製のレセプタクルシェル１５と、先端部にレセプタクルコンタクト２１ａ，２２ａを有するとともに発光体への給電部に電気的に接続される端子部２１ｂ，２２ｂを後端部に有して上記レセプタクルシェル内に収容されたレセプタクル側コンタクト導体２１，２２と、レセプタクルシェル１５の内側を通して水が流通するのを阻止するレセプタクル側止水部とを備えている。
【００１０】
またプラグコネクタ１２は、レセプタクルコンタクトに接続されるプラグコンタクト３１ａ，３２ａを先端に有し、後端部が電源ケーブルの先端で該電源ケーブル３の芯線に接続されたプラグ側コンタクト導体３１，３２と、プラグ側コンタクト導体と電源ケーブル３の先端寄りの部分とを被覆した状態で該プラグ側コンタクト導体３１，３２及び電源ケーブル３に一体に成形されて先端部がレセプタクルシェル１５のプラグ挿入穴１５ｇ内に圧入し得るように形成されるとともに、先端部がプラグ挿入穴１５ｇ内に圧入された際にレセプタクルシェルの先端面に当接されるつば部３５ｃが外周に形成された絶縁ゴム製のプラグシェル３５と、プラグシェル内を通して水が流通するのを阻止するプラグ側止水部と、先端部にフランジ部３７ａを有して該フランジ部をプラグシェルの外周のつば部３５ｃに当接させた状態でプラグシェル３５の外周に嵌合された耐食性金属からなる保護スリーブ３７とを備えていて、プラグシェルの先端部３５ａがレセプタクルシェルのプラグ挿入穴内に圧入された状態でプラグコンタクト３１ａ，３２ａがレセプタクルコンタクト２１ａ，２２ａに接続される。
【００１１】
上記電源ケーブル接続具１０はまた、保護スリーブ３７の外周に嵌合されるとともにレセプタクルシェル１５の先端部外周の雄ネジ部１５ｂに螺合されて保護スリーブのフランジ部３７ａを介してプラグシェルのゴム製のつば部３５ｃをレセプタクルシェル１５の先端面側に締めつける耐食性金属からなるロックナット１３を備え、このロックナットにより、プラグコネクタ１２とレセプタクル１１とが液密に接続された状態に保持される。
【００１２】
本発明の好ましい態様では、上記レセプタクル１１が、先端寄りの部分及び後端寄りの部分の外周がそれぞれ中央寄りの部分よりも小径の第１及び第２の雄ネジ部１５ｂ及び１５ｃとなっていて第１の雄ネジ部の内側にプラグ挿入穴１５ｇが形成された筒状のレセプタクルシェル１５と、レセプタクルシェルの内部に収容されたコンタクト組立体１６と、第２の雄ネジ部１５ｃの外周に嵌合されて該第２の雄ネジ部とレセプタクルシェル１５の中央寄りの部分との間に形成された段部に当接されたパッキン１８と、第１の雄ネジ部１５ｂに螺合されるシェル固定用ナット１７とを備えている。
【００１３】
この場合、コンタクト組立体１６は、先端部にレセプタクルコンタクト２１ａ，２２ａを有するとともに発光体への給電部に電気的に接続される端子部２１ｂ，２２ｂを後端部に有して互いに平行に配置された１対のレセプタクル側コンタクト導体２１，２２と、一対のレセプタクル側コンタクト導体２１，２２の中間部を被覆した状態で成形された中実の絶縁部材２５と、該絶縁部材の外周に嵌合されて該絶縁部材に接着された絶縁性のゴムスリーブ２６とを備えて、絶縁部材２５がゴムスリーブ２６を介してレセプタクルシェル１５の後端部側の内周に圧入されてゴムスリーブ２６がレセプタクルシェル１５の内周に接着されることによりレセプタクルシェル内に保持される。
【００１４】
上記レセプタクル１１は、レセプタクルシェルの第２の雄ネジ部１５ｃが灯具のハウジングの配線室に臨む部分を貫通した状態で配置されて、第２の雄ネジ部１５ｃに螺合されたシェル固定用ナット１７により灯具のハウジングに締結される。
【００１５】
またプラグコネクタ１２は、上記１対のレセプタクルコンタクト２１ａ，２２ａにそれぞれ接続される１対のプラグコンタクト３１ａ，３２ａを先端に有し、後端部が電源ケーブルの先端で電源ケーブルの１対の芯線にそれぞれ接続された１対のプラグ側コンタクト導体３１，３２と、１対のプラグ側コンタクト導体と電源ケーブル３の先端寄りの部分とを被覆した状態で１対のプラグ側コンタクト導体３１，３２及び電源ケーブル３に一体に成形されて先端部がレセプタクルシェル１５のプラグ挿入穴１５ｇ内に圧入し得るように形成されるとともに、先端部がプラグ挿入穴１５ｇ内に圧入された際にレセプタクルシェル１５の先端面に当接されるつば部３５ｃが外周に形成された絶縁ゴム製のプラグシェル３５と、プラグ側コンタクト導体３１，３２の少なくとも一部の外周と電源ケーブル３のプラグシェル３５内に位置する部分の外周とをそれぞれ全周に亘ってプラグシェルに接着する接着剤層４１，４１′と、先端部にフランジ部３７ａを有して該フランジ部をプラグシェル３５の外周のつば部３５ｃに当接させた状態でプラグシェル３５の外周に嵌合された耐食性金属からなる保護スリーブ３７とを備えて、プラグシェル３５の先端部３５ａをレセプタクルシェル１５のプラグ挿入穴１５ｇ内に圧入した際に１対のプラグコンタクト３１ａ，３２ａがそれぞれ１対のレセプタクルコンタクト２１ａ，２２ａに接続されるように構成される。
【００１６】
本発明の好ましい態様ではまた、保護スリーブ３７の外周に嵌合されるとともにレセプタクルシェル１５の第１の雄ネジ部１５ｂに螺合されて保護スリーブ３７のフランジ部３７ａを介してプラグシェル３５のつば部３５ｃをレセプタクルシェル１５の先端面側に締めつけるロックナット１３が設けられて、このロックナット１３の締め付けにより保護スリーブ３７のフランジ部３７ａとレセプタクルシェル１５の先端面との間にプラグシェルのつば部３５ｃが圧縮された状態で、プラグシェル３５とレセプタクルシェル１５とが結合される。
【００１７】
上記レセプタクルシェル１５と、シェル固定用ナット１７と、保護スリーブ３７と、ロックナット１３とはステンレス鋼等の耐食性金属により形成される。また絶縁部材２５と該絶縁部材２５及びレセプタクルシェル１５に接着されたゴムスリーブ２６とによりレセプタクルシェル１５の内側を通して水が流通するのを阻止するレセプタクル側止水部が構成され、プラグシェル３５の内側に設けられた接着剤層４１，４１′により、プラグシェルの内側を通して水が流通するのを阻止するプラグ側止水部が構成されている
【００１８】
レセプタクルコンタクト及びプラグコンタクトは、一方が雄形コンタクトにより構成され、他方が雌形コンタクトにより構成されるが、本発明の好ましい態様では、レセプタクルコンタクトが雄形コンタクトにより構成され、プラグコンタクトが雌形コンタクトにより構成される。
【００１９】
上記のように、本発明においては、電源ケーブル接続具を構成するプラグコネクタ１２及びレセプタクル１１がいずれも止水機能を有するため、電源ケーブル３は、プラグコネクタ１２及びレセプタクル１１により２段階に止水されて灯具のハウジングに接続される。特にプラグシェル３５はゴムからなっていて、プラグ側コンタクト導体３１，３２と電源ケーブル３の先端寄りの部分とを被覆した状態でプラグ側コンタクト導体３１，３２及び電源ケーブル３に一体に成形されるとともに、その内部に水の流通を阻止する止水部が設けられているので、止水性能を高めることができる。またゴムからなるプラグシェルの外周には耐食性金属からなる保護スリーブ３７が嵌合されて、この保護スリーブによりプラグシェルの内部の止水部が保護されているため、プラグコネクタの止水機能の信頼性を高め、止水機能を長期間に亘って維持することができる。
【００２０】
またレセプタクルは、耐食性金属からなるシェル内にレセプタクルコンタクトを収容して止水部を設けた堅牢な構造を有するので、海中で漁網等に接触しても破損することがなく、長期間に亘ってその機能を維持することができる。
【００２１】
従って本発明によれば、電源ケーブルと灯具との接続部の止水機能を長期間に亘って維持して灯具の寿命を延ばすことができる。また万一プラグシェルを構成するゴムが劣化する等してプラグシェルの止水機能が喪失した場合には、灯具を交換することなく、プラグコネクタが先端に設けられた電源ケーブルを交換するだけで、集魚灯の機能を回復させることができる。従って高価な灯具自体は交換する必要がないため、灯具の寿命を延ばして、経済性を高めることができる。
【発明の効果】
【００２２】
以上のように、本発明によれば、止水機能を有するレセプタクルとプラグコネクタとを備えた電源ケーブル接続具を設けて、この接続具により電源ケーブルを灯具に接続するようにしたので、電源ケーブルと灯具との接続部で、プラグコネクタとレセプタクルとにより２段階に止水を図ることができる。特にプラグシェルはゴムからなっていて、プラグ側コンタクト導体と電源ケーブルの先端寄りの部分とを被覆した状態で該プラグ側コンタクト導体及び電源ケーブルに一体に成形されているため、プラグコネクタでの止水性能を高めることができ、レセプタクル側に水が浸入するのを確実に防ぐことができる。またゴムからなるプラグシェルの外周には耐食性金属からなる保護スリーブが嵌合されて、この保護スリーブによりプラグシェルの内部の止水部が外力から保護されているため、プラグコネクタの止水機能の信頼性を高め、止水機能を長期間に亘って維持することができる。
【００２３】
またレセプタクルは、レセプタクルコンタクトを耐食性金属からなるシェル内に収容して、外力に対して強固な構造としたので、その機能を長期間に亘って維持することができる。
【００２４】
従って本発明によれば、電源ケーブルと灯具との接続部の止水機能を長期間に亘って維持して灯具の寿命を延ばすことができる。また万一プラグシェルを構成するゴムが劣化した場合には、灯具を交換することなく、プラグコネクタが先端に取り付けられた電源ケーブルを交換するだけで集魚灯の機能を回復させることができ、高価な灯具自体を交換する必要がないため、経済性を高めることができる。
【発明を実施するための最良の形態】
【００２５】
以下図面を参照して本発明の好ましい実施形態を説明する。
図１は、本発明に係わる水中集魚灯の使用時の状態を概略的に示している。同図において１は海面２に浮かぶ漁船、３は、漁船１の船上に設けられた電源４に後端部が接続された電源ケーブル、５は電源ケーブル３の先端に取り付けられて海中に投入された灯具であり、電源ケーブル３と灯具５とにより水中集魚灯６が構成されている。
【００２６】
図２に示したように、本実施形態で用いる灯具５は、耐食性金属からなるハウジング５０１を備えている。図示のハウジング５０１は、直方体状に形成されたハウジング本体５０２と、ハウジング本体５０２の上部に着脱可能に接続された四角錘台状の屋根部５０３とを有し、本体５０２と屋根部５０３との間には、両者の間を仕切るように天井板５０４が取り付けられている。ハウジング本体５０２の各側壁部及び底壁部には窓部５０５が開設され、各窓部５０５を液密に塞ぐようにガラス板等の透明板５０６が取り付けられている。
【００２７】
ハウジング本体５０２内には、各窓部５０５の内側に位置させて、多数の発光ダイオード５０７を取り付けた基板５０８が収容されている。各基板５０８は、適宜の手段によりハウジング本体５０２に対して支持されている。天井板５０４を貫通した状態でブッシング５０９が取り付けられ、ブッシング５０９を貫通させて１対の端子導体５１１，５１２が取り付けられている。端子導体５１１及び５１２は、ハウジング本体５０２内で配線５１０を通して各基板５０８の電源端子に接続されている。本実施形態では、端子導体５１１，５１２の屋根部５０３内に突出した端部が発光体（本実施形態では発光ダイオード）への給電部５１１ａ，５１２ａとなっている。ハウジングの屋根部５０３の頂部は平坦な壁面を有する電源ケーブル接続用壁部５０３ａとなっていて、この壁部５０３ａに本発明に係わる電源ケーブル接続具１０が取り付けられている。
【００２８】
本実施形態では、屋根部５０３の内側の空間が、電源ケーブル３を発光体への給電部に接続する配線室５１３となっている。ハウジング５０１は、その内部に水が浸入することがないように、完全な密閉構造を有しており、配線室５１３も外部に対して密閉構造を有している。
【００２９】
図３に示されているように、本発明に係わる電源ケーブル接続具１０は、灯具５のハウジング５０１に固定されるレセプタクル１１と、電源ケーブル３の先端に取り付けられてレセプタクル１１に接続されるプラグコネクタ１２と、レセプタクル１１とプラグコネクタ１２とを結合状態に保持するロックナット１３とからなっている。
【００３０】
図４（Ａ）ないし（Ｄ）、図５及び図６を参照すると、レセプタクル１１の各部が詳細に示されている。本実施形態で用いるレセプタクル１１は、ステンレス鋼等の耐食性金属からなるレセプタクルシェル１５と、レセプタクルシェル１５内に保持されたコンタクト組立体１６と、シェル固定用ナット１７（図６参照）と、ゴムからなるリング状のパッキン１８（図３参照）とにより構成される。
【００３１】
図４に示されているように、レセプタクルシェル１５は円筒状に形成されていて、その先端寄りの部分及び後端寄りの部分の外周がそれぞれ中央寄りの部分１５ａよりも小径の第１及び第２の雄ネジ部１５ｂ及び１５ｃとなっている。本実施形態では、第１の雄ネジ部１５ｂの外径が第２の雄ネジ部１５ｃの外径よりも大きく設定されている。
【００３２】
第２の雄ネジ部１５ｃは、レセプタクル１１を灯具のハウジング５０１の電源ケーブル接続用壁部（配線室に臨む壁部）５０３ａに取り付けるために用いられるネジ部で、このネジ部１５ｃの外周の一部が径方向に対して直角にカットされることにより、ネジ部１５ｃの外周の一部に平坦面１５ｄが形成されている。平坦面１５ｄが形成されたことにより、ネジ部１５ｃの横断面の形状が略Ｄ字形に形成されている。
【００３３】
灯具５のハウジング５０１の電源ケーブル接続用壁部５０３ａには、ネジ部１５ｃと同一の断面形状（ほぼＤ字形の断面形状）を有する取り付け孔５１５（図３参照）が形成されていて、ネジ部１５ｃが取り付け孔５１５に回り止めされた状態で嵌合されるようになっている。図６に示されているように、シェル固定用ナット１７は、レセプタクルシェル１５を構成する耐食性金属と同じ金属材料により形成さえた六角ナットからなっていて、レセプタクルシェル１５の第２の雄ネジ部１５ｃに螺合するように形成されている。
【００３４】
レセプタクルシェル１５の後端部寄りの内周には、コンタクト組立体１６を嵌合させる拡大径部１５ｅが形成され、拡大径部１５ｅと、レセプタクルシェル１５の前端寄りの部分との間にはコンタクト組立体１６を軸線方向に位置決めするための段部１５ｆ（図４Ｂ参照）が形成されている。またレセプタクルシェル１５の前端寄りの部分の内側（第１の雄ねじ部１５ｂの内側）には、プラグコネクタ１２の先端部を挿入するプラグ挿入穴１５ｇが形成されていて、プラグ挿入穴１５ｇの内周の一部には、レセプタクルシェル１５の軸線方向に伸びるキー１５ｈ（図４Ｂ参照）が一体に形成されている。キー１５ｈは、レセプタクル１１にプラグコネクタ１２を接続する際に、プラグコネクタ１２のコンタクトとレセプタクル１１のコンタクトとの対応関係を一通りに規制するために用いられる。
【００３５】
図４（Ａ）ないし（Ｄ）に示されたように、コンタクト組立体１６は、互いに平行に配置された１対のレセプタクル側コンタクト導体２１，２２と、これらのコンタクト導体の中間部を被覆した状態で両コンタクト導体２１，２２に一体に成形された中実の絶縁部材２５と、絶縁部材２５の外周に嵌合された絶縁性のゴムスリーブ２６とを備えている。
【００３６】
１対のレセプタクル側コンタクト導体２１，２２はそれぞれ、先端部に雄形のレセプタクルコンタクト２１ａ，２２ａを有するとともに、灯具５の発光体への給電部５１１ａ，５１２ａにそれぞれ電気的に接続される端子部２１ｂ，２１ｂを後端部に有し、レセプタクルコンタクト２１ａ，２２ａと端子部２１ｂ，２１ｂとの間の中間部が絶縁部材２５により被覆されている。
【００３７】
絶縁部材２５は円柱状に形成されていて、その外周には溝２５ａが周設されている。ゴムスリーブ２６は、図５に示されたように円筒状に形成されていて、その内周には、絶縁部材２５の外周の溝２５ａに嵌合する突条２６ａが周設されている。ゴムスリーブ２６は、その突条２６ａを絶縁部材２５の外周の溝２５ａに嵌合させた状態で絶縁部材２５の外周にきつく嵌め合されて、その内周面全体が接着剤２７により絶縁部材２５の外周面に接着されている。
【００３８】
コンタクト組立体１６は、レセプタクルシェル１５の拡大径部１５ｅの内周にきつく嵌合されて、ゴムスリーブ２６の外周面全体が接着剤２７′により拡大径部１５ｅの内周面に接着されている。本実施形態では、レセプタクルシェル１５の拡大径部１５ｅの開口端部寄りの内周に形成された溝内に止め輪２８が嵌合され、この止め輪がコンタクト組立体１６の軸線方向端部に当接してコンタクト組立体１６を段部１５ｆに対して押さえつけている。
【００３９】
パッキン１８は、レセプタクルシェル１５の第２の雄ネジ部１５ｃの外周に嵌合されて、第２の雄ネジ部１５ｃとレセプタクルシェルの中央寄りの部分１５ａとの間に形成された段部１５ｉ（図４Ａ，Ｄ参照）に当接されている。
【００４０】
レセプタクル１１は、図３に示したように、レセプタクルシェル１５の第２の雄ネジ部１５ｃをハウジング１５の配線室５１３に臨む壁部５０３ａに設けられた取り付け孔５１５に嵌合させた状態で配置されて、第２の雄ネジ部１５ｃに螺合させたシェル固定用ナット１７を締め付けることにより、ハウジング５０１に締結されている。灯具のハウジングの壁部５０３ａとレセプタクルシェル１５の中央寄りの部分との間に介在させられて圧縮されたパッキン１８により、レセプタクル１１と灯具５との接続部の液密が保持される。
【００４１】
本実施形態では、絶縁部材２５と、接着剤２７及び２７′により絶縁部材２５及びレセプタクルシェル１５の双方に接着されたゴムスリーブ２６とにより、レセプタクルシェル１５の内側を通して水が流通するのを阻止するレセプタクル側止水部が構成されている。
【００４２】
図７（Ａ）ないし（Ｄ）を参照すると、プラグコネクタ１２の構造が詳細に示されている。図示のプラグコネクタ１２は、電源ケーブル３の先端に接続された１対のプラグ側コンタクト導体３１，３２と、これらのコンタクト導体と電源ケーブル３の先端部とを被覆した絶縁ゴム製のプラグシェル３５と、プラグシェル３５の外周に嵌合された金属製の保護スリーブ３７とを備えている。
【００４３】
図８に示されているように、１対のプラグ側コンタクト導体３１，３２は、１対のレセプタクルコンタクト２１，２２にそれぞれ接続される雌型の１対のプラグコンタクト３１ａ，３２ａを先端に有すると共に、圧着端子部３１ｂ，３２ｂを後端部に有していて、後端部の圧着端子部３１ｂ，３２ｂが電源ケーブル３の先端で該電源ケーブルの１対の芯線３０１，３０２にそれぞれ接続されている。１対のプラグ側コンタクト導体３１，３２のプラグコンタクト３１ａ，３２ａと圧着端子部３１ｂ，３２ｂとの間の部分には、プラグコンタクト３１ａ，３２ａの外径及び圧着端子部３１ｂ，３２ｂの外径よりも小さい外径を有する小径部３１ｃ，３２ｃが形成されている。
【００４４】
プラグシェル３５は、１対のプラグ側コンタクト導体３１，３２と、電源ケーブル３の先端寄りの部分の外皮３０３とを被覆した状態で１対のプラグ側コンタクト導体３１，３２と電源ケーブル３とに一体に成形されている。プラグシェル３５の先端部３５ａは、レセプタクルシェル１１の先端部側の内周（プラグ挿入穴１５ｇ内）に圧入し得るように形成されていて、プラグシェルの先端部３５ａの先端寄りの部分の外周には、圧入を容易にするために、先端に向うに従って径が小さくなる向きのテーパが付けられている。プラグシェルの先端部３５ａの外周には、レセプタクルシェル１５に設けられたキー１５ｈを嵌合させるキー溝３５ｈ（図７Ａ参照）が形成されている。
【００４５】
プラグシェルの先端部３５ａの内部には、雌型のプラグコンタクト３１ａ，３２ａにそれぞれ接続される雄形のレセプタクルコンタクト２１，２２をそれぞれ受け入れるコンタクト受け入れ孔３５b1，３５b2が、それぞれの先端の開口部をプラグシェルの先端部３５ａの先端面に開口させた状態で設けられている。プラグコンタクト３１ａ，３２ａは、それぞれの先端の開口部をコンタクト受け入れ孔３５b1，３５b2内を通して外部に開口させた状態で設けられていて、プラグシェル３５の先端部３５ａのキー溝３５ｈにレセプタクルシェルのプラグ挿入穴１５ｇ内のキー１５ｈを嵌合させて、先端部３５ａをレセプタクル１１のプラグ挿入穴１５ｇ内に圧入した際に、１対のプラグコンタクト３１ａ，３２ａがそれぞれ１対のレセプタクルコンタクト２１ａ，２２ａに接続されるように構成されている。
【００４６】
プラグシェル３５の外周には、その先端部３５ａをレセプタクルシェル１５のプラグ挿入穴１５ｇ内に圧入した際にレセプタクルシェル１５の先端面に当接されるつば部３５ｃが形成されている。プラグシェルのつば部３５ｃから先の先端部３５ａの軸線方向長さは、レセプタクルシェル１５のプラグ挿入穴１５ｇの軸方向寸法（深さ）よりも僅かに短く設定されていて、プラグシェルの先端部３５ａをレセプタクルシェルのプラグ挿入穴１５ｇ内に挿入してつば部３５ｃをレセプタクルシェルの先端面に当接させた状態にしたときに、プラグシェルの先端部３５ａの先端面と、レセプタクル１１のコンタクト組立体１６のプラグ挿入穴１５ｇ側の軸線方向端面（プラグ挿入穴の底面）との間に隙間ｇ（図３参照）が形成されるようになっている。
【００４７】
またプラグ側コンタクト導体３１，３２の少なくとも一部の外周（図示の例では圧着端子部３１ｂ，３２ｂの外周）と電源ケーブル３の先端部のプラグシェル３５内に位置する部分の外周とをそれぞれ全周に亘ってプラグシェル３５に接着する接着剤層４１及び４１′が形成され、これらの接着剤層により、プラグシェル３５の内側を通して水が流通するのを阻止するプラグ側止水部が構成されている。
【００４８】
プラグシェル３５の後端部３５ｄは、電源ケーブル３側に向って次第に径が小さくなるように形成されたテーパ部３５d1と、テーパ部３５d1の小径側の端部から更に電源ケーブルの後端部側に延長された延長部３５d2とを一体に有する形状に形成されている。プラグシェル３５内に水が浸入するのを確実に阻止するためには、延長部３５d2の長さを十分に長く設定して、その内面を電源ケーブル３の外皮に接着または融着により一体化しておくことが好ましい。
【００４９】
保護スリーブ３７は、レセプタクルシェル１５を構成する金属と同じ耐食性金属（本実施形態ではステンレス鋼）により、図９（Ａ），（Ｂ）に示したように構成されている。図示の保護スリーブ３７は、プラグシェル３５の外周に隙間なく嵌合する内径を有する円筒体からなっていて、プラグシェル３５のつば部３５ｃよりも後端側の部分の外周に嵌合されている。保護スリーブ３７の先端部にはフランジ部３７ａが形成され、このフランジ部３７ａがプラグシェル３５の外周のつば部３５ｃに当接されている。保護スリーブ３７は、少なくとも、図示のように、そのフランジ部３７ａと反対側の端部が、電源ケーブル３の外皮３０３の先端部付近に達するような長さを有していることが好ましい。
【００５０】
図示の例では、プラグシェル３５の保護スリーブ３７が嵌合された部分よりも後端部側の部分の外径が、保護スリーブ３７が嵌合された部分の外径よりも僅かに大きく設定されていて、プラグシェル３５の外径の差によりプラグシェルの外周に形成された段差部３５ｅにより、保護スリーブ３７が軸線方向に位置決めされている。
【００５１】
ロックナット１３は、図１０（Ａ），（Ｂ）に示したように構成されている。図示のロックナット１３は、レセプタクルシェル１５の第２の雄ネジ部１５ｂに螺合する雌ネジ部１３ａを有する六角袋ナットの底部に保護スリーブ３７を嵌合させる貫通孔１３ｂを形成したものである。ロックナット１３の貫通孔１３ｂの雌ネジ部１３ａ側の開口部の周辺部は締め付け座部１３ｃとなっていて、ロックナット１３をレセプタクルシェル１５の第２の雄ネジ部１５ｂに螺合させて締め付けた際に、締め付け座部１３ｃが保護スリーブ３７のフランジ部３７ａに当接して、該フランジ部３７ａをレセプタクルシェル１１の先端面側に締め付けるようになっている。ロックナット１３は、レセプタクルシェル１５を構成する耐食性金属と同じ金属材料（本実施形態ではステンレス鋼）により形成されている。
【００５２】
図２に示したように、本実施形態の水中集魚灯６においては、レセプタクルシェル１１のコンタクト導体２１，２２の端子部２１ｂ，２２ｂが、灯具５のハウジング５０１内の配線室５１３内で接続導体４１，４２を通して灯具の給電部５１１ａ，５１２ａに接続される。そして、電源ケーブル３の先端部に一体に取り付けられたプラグコネクタ１２のシェル３５の先端部３５ａに設けられたキー溝３５ｈ（図７Ａ参照）をレセプタクルシェル１５のプラグ挿入穴１５ｇ内に設けられたキー１５ｈに合わせて、プラグシェル３５の先端部３５ａをプラグ挿入穴１５ｇに圧入することにより、プラグコンタクト３１ａ，３２ａをレセプタクルコンタクト２１ａ，２２ａに接触させる。その後、ロックナット１３をレセプタクルシェルの第１の雄ネジ部１５ｂに螺合させて締め付けることにより、保護スリーブ３７のフランジ部３７ａとレセプタクルシェル１５の先端面との間にプラグシェル３５のつば部３５ｃを圧縮させた状態で介在させて、プラグコネクタ１２とレセプタクル１１との接続部の液密を保持する。
【００５３】
上記のように、止水機能を持たせたレセプタクル１１及びプラグコネクタ１２と、これらの接続部の液密を保持するロックナット１３とを備えた電源ケーブル接続具１０を設けて、電源ケーブル３を電源ケーブル接続具１０を介して灯具５に接続するようにすると、電源ケーブル３を、プラグコネクタ１２及びレセプタクル１１により２段階に止水して灯具５に接続することができるため、電源ケーブル３と灯具５との接続部の止水を確実に行うことができる。
【００５４】
特にプラグシェル３５はゴムからなっていて、プラグ側コンタクト導体と電源ケーブルの先端寄りの部分とを被覆した状態でプラグコンタクト及び電源ケーブルに一体に成形されるとともに、その内部には接着剤層からなる止水部が設けられているため、止水性能を高めることができる。またゴムからなるプラグシェル３５の外周には耐食性金属からなる保護スリーブ３７が嵌合されて、この保護スリーブによりプラグシェル３５の内部の止水部が外力から保護されているため、プラグコネクタ１２の止水機能の信頼性を高めることができる。
【００５５】
また本発明に係わる水中集魚灯においては、レセプタクル１１が金属からなるレセプタクルシェル１５の内部にレセプタクル側コンタクト導体２１，２２を収容した堅牢な構造を有しているため、集魚灯が海中で漁網に接触したり海底に衝突したりして灯具が大きな外力を受けても、レセプタクル１１が破損するおそれはない。またプラグコネクタ１２のシェル３５は止水機能を高めるためにゴムからなっているが、プラグシェルの止水部は、その外周に嵌合された保護スリーブにより保護されているため、海中で灯具に大きな外力が作用したとしてもプラグコネクタが簡単に破損することはない。万一ゴムの劣化によりプラグシェル３５に亀裂が生じたとしても、金属製のシェル１５により守られているレセプタクル１１は破損することがないため、灯具５内に水が浸入するのを防ぐことができ、灯具５自体が破損するのを防ぐことができる。
【００５６】
上記のように、電源ケーブル３またはプラグコネクタ１２が損傷した場合でも、レセプタクル１１により灯具５内への水の浸入を阻止して、灯具５が破損するのを防ぐことができるため、プラグコネクタが先端に取り付けられた電源ケーブルを新しいものと交換することにより、集魚灯の機能を回復させることができる。従って、発光ダイオードを用いた高価な灯具を使用する場合に、灯具自体を交換しなければならない事態が早期に生じるのを防ぐことができ、長寿命であるという発光ダイオードの特徴を活かして、集魚灯の寿命を延ばすことができる。
【００５７】
なお図２に示した灯具５の構成は一例を示したものに過ぎず、本発明は図２に示した灯具を用いる場合に限定されるものではない。
【００５８】
また本発明は、発光体として発光ダイオードを用いた集魚灯のように、原価が高いために長寿命であることが期待される集魚灯に適用することにより特に有意な効果が得られるが、白熱灯などを用いた集魚灯にも本発明を適用できるのはもちろんである。
【００５９】
上記の実施形態では、集魚灯の発光体として発光ダイオードが用いられていて、発光体に直流電圧を所定の極性で印加する必要があるため、レセプタクルシェルのプラグ挿入穴にキー１５ｈを設けると共に、プラグシェルにキー溝３５ｈを設けて、レセプタクル１１にプラグ１２を挿入する際に両者の極性を合わせることができるようにしたが、発光体に印加する電圧の極性を合わせる必要がない場合には、キー及びキー溝を省略することができる。
【００６０】
上記の実施形態では、灯具のハウジング５０１内の配線室５０３と発光体が収容された室との間を天井板５０４により仕切っているが、配線室５０３は、発光体への給電部（端子部）が配置される室であればよく、必ずしも他の室との間が仕切られた室である必要はない。例えば、ハウジング全体が密閉構造を有していて、該ハウジング内が特に複数の室に仕切られることがない場合には、ハウジング内全体が配線室となる。
【図面の簡単な説明】
【００６１】
【図１】本発明に係わる集魚灯の使用時の状態を説明するための説明図である。
【図２】本発明の実施形態で用いる灯具の構成を示した断面図である。
【図３】本発明の実施形態で用いる水中集魚灯用電源ケーブル接続具の構成を示した縦断面図である。
【図４】（Ａ）は本実施形態の水中集魚灯用電源ケーブル接続具で用いるレセプタクルの背面図、（Ｂ）は（Ａ）のIVB−IVB線断面図、（Ｃ）は同レセプタクルの正面図、（Ｄ）は同レセプタクルの左側面図である。
【図５】（Ａ）は同レセプタクルで用いるゴムスリーブの正面図、（Ｂ）は同ゴムスリーブの断面図である。
【図６】（Ａ）は同レセプタクルの一部をなすシェル固定ナットの正面図、（Ｂ）は同シェル固定ナットの半部断面図である。
【図７】（Ａ）は本実施形態で用いるプラグコネクタの正面図、（Ｂ）は（Ａ）のＶB−ＶB線断面図、（Ｃ）は（Ａ）のＶC−ＶC線断面図、（Ｄ）は同プラグの右側面図である。
【図８】本実施形態で用いるプラグコネクタに設けるプラグ側コンタクト導体の側面図である。
【図９】（Ａ）は本実施形態で用いるプラグコネクタに設ける保護スリーブの正面図、（Ｂ）は同保護スリーブの縦断面図である。
【図１０】（Ａ）は本実施形態で用いるロックナットの正面図、（Ｂ）は同ロックナットの半部縦断面図である。
【符号の説明】
【００６２】
３  電源ケーブル
５  灯具
５０１  灯具のハウジング
５０７  発光ダイオード
５０９  ブッシング
５１１  端子導体
５１１ａ  給電部
５１２  端子導体
５１２ａ  給電部
５１３  配線室
６  水中集魚灯
１０  電源ケーブル接続具
１１  レセプタクル
１２  プラグコネクタ
１３  ロックナット
１５  レセプタクルシェル
１５ａ  レセプタクルシェルの中央よりの部分
１５ｂ  第１の雄ねじ部
１５ｃ  第２の雄ねじ部
１５ｇ  プラグ挿入穴
１６  コンタクト組立体
１７  シェル固定用ナット
１８  パッキン
２１  レセプタクル側コンタクト導体
２１ａ  レセプタクルコンタクト
２１ｂ  端子部
２２  レセプタクル側コンタクト導体
２２ａ  レセプタクルコンタクト
２２ｂ  端子部
２５  絶縁部材
２６  ゴムスリーブ
２７  接着剤
２７′  接着剤
３１  プラグ側コンタクト導体
３２  プラグ側コンタクト導体
３５  プラグシェル
３５ａ  プラグシェルの先端部
３５ｃ  プラグシェルのつば部
３５ｄ  プラグシェルの後端部
３７  保護スリーブ
３７ａ  フランジ部
４１  接着剤層
４１′  接着剤層
【図１】
2010115180.tif 000003
【図２】
2010115180.tif 000004
【図３】
2010115180.tif 000005
【図４】
2010115180.tif 000006
【図５】
2010115180.tif 000007
【図６】
2010115180.tif 000008
【図７】
2010115180.tif 000009
【図８】
2010115180.tif 000010
【図９】
2010115180.tif 000011
【図１０】
2010115180.tif 000012